(57)【特許請求の範囲】
【請求項１】
少なくとも一つの遠隔サイトと通信リンクを通じて動作するコントローラおよび複数の遠隔サイトとを備える無線通信システムにおいて、システムデータを管理する方法であって、
ａ．前記少なくとも一つの遠隔サイトで、順方向リンクの受信信号強度を含むシステムデータを測定するステップ；および
ｂ．前記測定されたシステムデータを前記コントローラに報告するステップであって、前記測定されたシステムデータの報告が周期的に前記コントローラからのインストラクションなしに行なわれ、前記報告の周期は前記無線システムを介して伝送されるデータバースト期間より短いものであるステップを含み、
前記コントローラが、前記報告されるシステムデータに従って、前記少なくとも１つの遠隔サイトへ伝送されるデータのための伝送パラメータを調節しているシステムデータを管理する方法。
【請求項２】
前記報告の周期が、前記少なくとも一つの遠隔サイトへの前記通信リンクを介したデータの到着の周期に従って選択される請求項１の方法。
【請求項３】
前記測定されたシステムデータを報告するステップが、前記少なくとも一つの遠隔サイトで前記通信リンクを介してデータが受信されるのと同期して遂行される請求項１の方法。
【請求項４】
前記通信リンクの順方向リンクのシステムデータは、前記少なくとも一つの遠隔サイトで収集されたデータを含む請求項１の方法。
【請求項５】
前記順方向リンクのシステムデータは、前記各遠隔サイトの累積電力履歴を含む請求項４の方法。
【請求項６】
少なくとも一つの基地局と少なくとも一つの移動局を備え、前記移動局が前記基地局と通信リンクを通じて通信し、前記通信リンクが順方向リンクと逆方向リンクとを含む無線通信システムにおいて、システムデータを動的に管理する方法であって、
ａ．前記移動局で、測定された受信信号強度を含む順方向リンクシステムデータを測定するステップ；および
ｂ．前記システムデータを前記少なくとも一つの基地局に報告するステップとを含み、
前記報告が周期的に前記少なくとも一つの基地局からのインストラクションなしに行なわれ、前記報告の周期は前記無線システムを介して伝送されるデータバースト期間より短いものであり、
前記コントローラが、前記報告されるシステムデータに従って、前記少なくとも１つの遠隔サイトへ伝送されるデータのための伝送パラメータを調節しているシステムデータを動的に管理する方法。
【請求項７】
前記システムデータを報告するステップが、前記少なくとも一つの遠隔サイトで前記通信リンクを介してデータが受信されるのと同期して遂行される請求項６の方法。
【請求項８】
前記無線通信システムが前記少なくとも一つの基地局と通信する交換センタをさらに備えているシステムである、請求項７の方法において、
ａ．前記報告されるシステムデータを前記少なくとも一つの基地局の所で収集するステップ；
ｂ．前記報告されるシステムデータを前記少なくとも一つの基地局に対応する前記少なくとも一つの移動局で測定するステップ；および
ｃ．前記報告されるシステムデータを前記交換センタに転送するステップであって、前記報告されるシステムデータは、前記交換センタからのインストラクションなしに転送されるステップを含む請求項７の方法。
【発明の詳細な説明】
【０００１】
【発明の属する技術分野】
本発明は、無線通信システム、より詳細には、無線通信システム内で用いる高速伝送に対してシステム伝送パラメータを割当てるための方法に関する。
【０００２】
【従来の技術】
無線通信システムが、発信位置と宛先位置との間で情報信号を伝送するために開発されてきた。アナログ（第一世代）およびデジタル（第二世代）の両方のシステムが、発信位置と宛先位置をリンクする通信チャネルを通じて情報信号を伝送するために開発されてきた。デジタルシステムは、アナログシステムと比較して、幾つかの長所を持つ。例えば、デジタルシステムは、長所として、アナログシステムと比べて、チャネルノイズおよび干渉に強く、容量が大きいことな加え、通信の暗号化が容易で安全である。
【０００３】
第一世代のシステムは、主として音声（アナログ）通信に向けられたが、第二世代のシステムは、音声およびデータの両方のアプリケーションをサポートする。第二世代のシステムにおいては、異なる伝送要件を持つデータ伝送を扱うための多くの技法が知られている。例えば、データ伝送は、典型的には、比較的短い継続期間を持つのに対して、音声伝送は、比較的長い継続期間を持つことに加えて、通信チャネルへの連続したアクセスを要求する。加えて、無線網にアクセスすることができるユーザの数を増加するために、周波数分割多元アクセス（ＦＤＭＡ）、時間分割多元アクセス（ＴＤＭＡ）、および符号分割多元アクセス（ＣＤＭＡ）の様々な周波数分割変調／符号化技法が開発されている。符号分割多元アクセス（ＣＤＭＡ）システムは、周波数分割多元アクセス（ＦＤＭＡ）および時間分割多元アクセス（ＴＤＭＡ）システムと比較して、マルチパス歪みおよび同一チャネル干渉に強く、周波数分割多元アクセス（ＦＤＭＡ）および時間分割多元アクセス（ＴＤＭＡ）システムに共通な周波数／チャネルの計画の負担も少ない。
【０００４】
符号分割多元アクセス（ＣＤＭＡ）システムにおいては、あるセル内の各アクティブなユーザに、そのユーザを一意に識別するため、およびユーザの信号をより大きな帯域幅に拡散させるために、一意の二進符号系列が割当てられる。こうして割当てられた符号を乗ずることで、ユーザの信号がユーザの信号帯域幅より広いチャネル帯域幅全体に拡散（スプレッド）される。システムチャネル帯域幅のユーザ帯域幅に対する比は、システムの“拡散利得（ｓｐｒｅａｄｉｎｇ  ｇａｉｎ）”と呼ばれるが、符号分割多元アクセス（ＣＤＭＡ）システムの容量は、信号対雑音比（Ｓ／Ｉ）レベルを一定にした場合、この“拡散利得”に比例する。送信された信号を受信した後に、各ユーザの信号は、他のユーザの信号から、所望の信号の符号系列にキーイングされた相関器を用いて、分離、すなわち、デスプレッドされる。
【０００５】
第一世代のアナログおよび第二世代のデジタルシステムは、音声通信に加えて、限られたデータ通信機能をサポートするように設計されている。これに対して、広帯域多重アクセス技法、例えば、符号分割多元アクセス（ＣＤＭＡ）技法を用いる第三世代の無線システムでは、音声、ビデオ、データ、および画像などの多様なサービスを効果的に扱うことができることが期待されている。第三世代のシステムによってサポートされることが期待される機能には、移動機と地上回線網との間の高速データ伝送も含まれる。高速データ通信においては、周知のように、データ伝送は、高伝送速度の短期間のデータ“バースト”と、それに続く、データ源からの伝送活動が殆どあるいは全くない比較的長い期間から成る。第三世代のシステムにおいて、このようなバースト性の高速データサービスを収容するためには、通信システムは、各データバーストの期間の度に、（高いデータ速度に対応する）大きな帯域幅セグメントを割当てることを要求される。第三世代のシステムに、このようなバースト性の高速データ伝送を扱う能力を付与した場合、長所として、スループットおよびユーザに対する遅延を改善される。
【０００６】
ただし、バースト性の高速データを伝送するためには、瞬間的に多量の帯域幅が必要となるために、これらバーストの管理、とりわけ、これらバーストへの電力およびシステム資源の割当は、注意深く扱うことを要求される。つまり、同一の基本周波数割当てを用いる他のサービスとの望ましくない干渉を避ける必要がある。
【０００７】
バースト性の高速通信リンクの設定においては、地上回線網の基地局と移動機（あるいは移動局）は、最初に、基地局と移動機との間で用いるべきサービス構成について合意する。バースト伝送を開始する前に割当てられるサービス構成パラメータには、伝送データ速度および公称初期出力電力が含まれる。通信リンクの設定の際には、基地局と移動機との間で、コマンドメッセージおよび応答が所定のプロトコルに従って交換される。これらプロトコルメッセージの中には、とりわけ、基地局から移動機に向けて送信される受信信号強度の測定を要請するメッセージが含まれる。具体的には、基地局は、パイロット測定リクエストオーダ（Piolt Measurment Request Order、PMRO）メッセージを送信することで、受信信号強度の測定を要請し、移動機は、これに応答して、受信信号強度を測定し、この測定値を、パイロット信号測定メッセージ（Pilot Signal Measurement Message（PSMM）を通じて基地局に送り返す。次に、基地局は、許容可能なサービスの品質を最小限のシステム資源を用いて保障することを目指してバースト伝送パラメータを割当てる。
【０００８】
【発明が解決しようとする課題】
許容可能な信号の受信および品質を、最小限のシステム資源にて維持するためには、基地局の初期出力電力レベル、伝送データ速度および帯域幅を、無線環境の変化に応じて調節することが必要となる。ただし、伝送パラメータを絶えず調節するためには、基地局は、移動機がバーストリクエストを行なう度に、移動機に対して受信信号強度の報告を要請することを必要とされる。これら要請は、バーストの伝送に遅延を導入し、チャネル資源の非効率な利用につながる。
【０００９】
【課題を解決するための手段】
本発明の一つの目的は、無線通信リンクにおける通信リンクの利用効率を、遠隔サイトのシステムパラメータをローカルコントローラに供給することで、改善することにある。本発明のもう一つの目的は、システムパラメータを遠隔サイトからローカルコントローラに効率的なやり方で報告するための方法を提供することにある。本発明のさらにもう一つの目的は、バースト伝送パラメータを割当てるために必要とされる時間を、システムパラメータデータをローカルコントローラに効率的なやり方で供給することで短縮することにある。本発明のさらにもう一つの目的は、バースト伝送の際にバースト伝送パラメータを動的に割当てるために用いるシステムデータを収集する方法を提供することにある。
【００１０】
本発明の方法によると、遠隔サイトは、システムデータをローカルコントローラに自律的に報告し、ローカルコントローラは、この情報を用いて伝送パラメータを割当て、システム性能を改善する。より具体的には、無線通信網内において、ローカルコントローラ、例えば、基地局と、遠隔サイト、例えば、移動機が、バースト伝送のために通信リンクを設定した後に、移動機、すなわち、遠隔サイトは、システムパラメータ情報を、ローカルコントローラ、例えば、基地局に、自律的に報告し、基地局は、報告された信号パラメータ値に基づいてバースト伝送パラメータを調節する。
他方において、基地局は、報告されたシステムパラメータを収集し、基地局に特有なシステム情報、例えば、累積電力履歴および信号対雑音比（ＳＩＲ）と共に、この情報を、それと関連するリンクを介して、基地局が属する網を管理する移動体交換センタに報告する。
【００１１】
本発明のもう一つの実施例においては、基地局と移動機の両方は、タイムアウト手段を採用し、最後のデータメッセージが受信されてから所定の時間期間内にデータが受信されない場合は移動機と基地局との間のデータセッションは終話（解除）されたものとみなされ、移動機と基地局は、それらの通信リンク処理を中止する。
【００１２】
本発明の方法が移動機と基地局との間の通信リンクに適用された場合、測定された信号強度などのデータが基地局に自律的に報告され、基地局は、伝送を遅延させること、およびこの方法が用いられない場合はこの情報を得るために必要とされるチャネルオーバヘッドを発生させることなく、この情報を用いて、バースト伝送パラメータを更新および最適化することが可能となる。こうして、本発明は、伝送の遅延あるいはチャネルの非効率な利用を排除し、システムの動作を向上させる。
【００１３】
【発明の実施の形態】
初期の無線システム、とりわけ、第一世代のアナログシステムの焦点は、主として、音声通信に向けられていた。符号分割多元アクセス（ＣＤＭＡ）、時間分割多元アクセス（ＴＤＭＡ）およびＧＳＭを含む第二世代の無線システムの出現に伴って、音声品質、網容量およびサービスの向上などの点で様々な向上が見られた。ただし、第二世代のシステムは、音声、低速データ、ファックスおよびメッセージなどの通信には適するが、これらは、一般的には、高速の移動体通信データ速度に対する要件を効果的かつ効率的に扱うことはできない。第三世代の無線通信への進化は、本質的に、ユーザが単に音声サービスにアクセスするのみでなく、ビデオ、画像、テキスト、グラフィックおよびデータ通信にもアクセスするマルチメディア移動体通信の世界へのパラダイムシフト（発想の転換）であると言え、第三世代の網は、移動体ユーザに対して、１４４Ｋｂｐｓから２Ｍｂｐｓの間のデータ速度を提供することを期待される。
【００１４】
ただし、このようなより高い速度のデータ通信アプリケーションをサポートする無線網においては、チャネルオーバヘッドは、例えば、通信リンク初期化手続きなどに起因する遅延を避けるために、非常に注意深く管理することを要求される。後に示すように、本発明は、無線通信網のシステムパラメータを監視するための新規の方法を提供し、これによって、バースト伝送パラメータを割当てる際の遅延が低減され、動作効率が改善される。本発明は、以下では、無線信号の符号分割多元アクセス（ＣＤＭＡ）符号化に基づく一つの好ましい実施例を用いて説明されるが、ただし、本発明の方法は、当業者においては明らかなように、時間分割多元アクセス（ＴＤＭＡ）およびＧＳＭを含む他の無線チャネル構成にも適用できる。
【００１５】
図１は、典型的な無線通信システムの網構成を示す。図１に示すように、このシステムは、移動体交換センタ（ＭＳＣ）１００、複数の基地局コントローラ（ＢＳＣ）１０２、複数の基地局トランシーバ（ＢＴＳ）１０４、および、各自が移動機（ＭＳ）１０６を動作する複数の遠隔ユーザから構成される。移動体交換センタ（ＭＳＣ）  １００は、基地局コントローラ（ＢＳＣ）１０２に対してローカルな管理および制御機能を提供することに加えて、無線網と有線網、公衆網（ＰＳＴＮ）１１０、あるいは第二の無線網、すなわち、移動体交換センタ（ＭＳＣ）１２０との間のインタフェースを提供する。一方、基地局コントローラ（ＢＳＣ）１０２は、一つあるいは複数の基地局トランシーバ（ＢＴＳ）１０４、すなわち、遠隔サイトにローカルな制御および管理機能を提供すると共に、基地局トランシーバ（ＢＴＳ）１０４と移動体交換センタ（ＭＳＣ）１００との間の情報のやりとりを中継する。基地局トランシーバ（ＢＴＳ）１０４は、無線経路の網側での終端ポイントに当たり、典型的には、無線サイトに配置された、セットの、通常は遠隔的に調節可能なトランシーバから構成される。各基地局トランシーバ（ＢＴＳ）１０４は、典型的には、無線網内の一つのセル１０８を代表し、セル内の一つあるいは複数の移動機（ＭＳ）１０６、すなわち、遠隔サイトにローカルな伝送制御機能を提供する。移動機（ＭＳ）１０６、例えば、セルラ電話機、コンピュータ端末、あるいはファクシミリは、基地局トランシーバ（ＢＴＳ）１０４からの無線経路を終端し、サービスを受けるユーザに網サービスへのアクセスを提供する。基地局トランシーバ（ＢＴＳ）１０４と移動機（ＭＳ）１０６との間の双方向無線リンクは、慣習的に、基地局トランシーバ（ＢＴＳ）１０４が移動機（ＭＳ）１０６に送信する場合は順方向リンクと呼ばれ、移動機（ＭＳ）１０６が基地局トランシーバ（ＢＴＳ）１０４に送信する場合は逆方向リンクと呼ばれる。
【００１６】
図２は、ＴＩＡ／ＥＩＡ／ＩＳュ２０００．２標準の現在のバージョンによって指定される符号分割多元アクセス（ＣＤＭＡ）の順方向チャネルの多重化構成を示す。パイロットチャネル（ＰＣＨ）２０１は、符号分割多元アクセス（ＣＤＭＡ）システム内に無変調信号を絶えず送信するために用いられる。パイロットチャネル（ＰＣＨ）２０１は、コヒーレント変調に対する位相基準を提供するとともに、信号の強度を基地局トランシーバ（ＢＴＳ）間で比較するための手段を提供する。専用制御チャネル（ＤＣＣＨ）２０２は、（電力制御情報を含む）デジタル制御情報を基地局トランシーバ（ＢＴＳ）から移動機（ＭＳ）１０６に送信するために用いられる。基本チャネル（ＦＣＨ）２０３は、双方向音声と電力制御情報の組合せを運ぶために用いられる。補助チャネル（ＳＣＨ）２０４は、専用制御チャネル（ＤＣＣＨ）および／あるいは基本チャネル（ＦＣＨ）との関連で動作し、より高次のデータが送信される場合に、より高いデータ速度のサービス（すなわちバーストデータ伝送）を提供するために用いられる。
【００１７】
通信リンクの設定においては、基地局トランシーバ（ＢＴＳ）１０４は、移動機  （ＭＳ）１０６に許容可能な信号品質を保障するために十分な出力電力を割当てる必要がある。符号分割多元アクセス（ＣＤＭＡ）システムにおいては、順方向リンク信号は共通の周波数帯域を用いて伝送されるために、通信リンクの設定の際に高い電力を送信することは、セル内の総ノイズを増加させ、セル内の他のユーザへの干渉を増加させ、増加した干渉は、出力電力が新たなユーザの伝送需要を収容するように調節されるまでとどまる。このため、通信リンクの設定において、基地局コントローラ（ＢＳＣ）１０２は、移動機（ＭＳ）１０６に対して、絶えず存在するパイロットチャネル２０１を通じて伝送される所定のパイロットビットを用いて受信信号強度を測定するように要請する。移動機（ＭＳ）１０６は、受信信号強度を、パイロットビットの振幅値を用いて測定し、この測定値を基地局コントローラ（ＢＳＣ）１０２に送り返す。基地局コントローラ（ＢＳＣ）１０２は、基地局の容量およびシステム内の他のユーザ、並びに測定された信号強度に基づいて、移動機（ＭＳ）１０６に、許容可能なサービスの品質を保障する伝送パラメータ、例えば、データ速度、帯域幅、公称初期出力電力を割当てる。
【００１８】
ただし、通信リンクを設定し、バースト伝送パラメータを割当てるために必要とされるプロトコルメッセージの交換は、処理オーバヘッドの部分を構成し、これは、さもなければユーザデータの伝送のために用いることができるシステム資源を消費する。
【００１９】
本発明の方法は、このメッセージの交換および対応する設定オーバヘッド（これはバースト伝送パラメータの設定を遅延させる原因ともなる）を低減する。これは、移動機（ＭＳ）１０６、すなわち、遠隔サイトから、自律的に、システムデータ、例えば、  受信信号強度の測定値を、基地局コントローラ（ＢＳＣ）１０２に基地局トランシーバ（ＢＴＳ）１０４を通じて、通信リンクがアクティブにとどまる期間を通じて、供給するようにすることで達成される。この測定された受信信号強度の自律的な報告、例えば、測定パラメータを用いて、基地局コントローラ（ＢＳＣ）１０２は、各バースト伝送の前に、割当てられているバースト伝送パラメータ、例えば、データ速度、帯域幅、および公称初期出力電力を調節することが可能となる。さらに、この受信信号強度の自律的な報告のために、基地局コントローラ（ＢＳＣ）１０２は、バースト伝送の際に、  基地局コントローラ（ＢＳＣ）１０２からこれら測定値を要請することなく、出力電力およびビット当たりのエネルギーを調節することが可能になる。バースト伝送の際に出力電力を調節することで、基地局は、出力電力送信パラメータを動的に調節することが可能となり、このため、許容可能なサービスの品質を最小限のシステム資源を用いて維持することが可能になる。本発明の方法によると、バースト伝送パラメータの調節は、移動機（ＭＳ）１０６から受信信号強度情報をリクエストするためにチャネル資源を消費することなく、達成される。
【００２０】
本発明の一つの実施例においては、移動機（ＭＳ）１０６から基地局コントローラ（ＢＳＣ）１０２への自律的な報告は、周期的に遂行され、報告の周期は、一つの実施例においては、伝送データの到着の速度の関数として決定される。本発明のもう一つの実施例においては、受信信号強度は、バースト伝送の受信と同期して、測定され、自律的に報告される。
【００２１】
図３は、移動機（ＭＳ）１０６から自律的に生成されるメッセージに応答して送信出力電力を調節する本発明の方法の一例としての動作を示す。図示されるように、時間において等間隔の２つのバースト伝送３４０、３５０が送信される。各バーストは、バーストを送信するためにシステム資源が必要とされる時間期間としての持続期間３１０を持つ。このバーストに対する伝送パラメータを設定するために、送信機は、最初に、送信出力電力を、この例では、出力電力レベル３２０ａとして示される公称出力電力レベルに設定する。この公称出力電力レベル、すなわち、レベル３２０ａは、典型的には、送信機のカバレッジエリアの範囲内で許容可能なサービスの品質を保障するのに十分な高さとされる。伝送パラメータの設定を終えたら、次に、送信機は、移動機（ＭＳ）１０６へのデータトラヒックの送信を開始する。移動機（ＭＳ）１０６は、データトラヒックを受信する一方で、自律的に、信号パラメータ、例えば、受信信号強度を測定し、信号パラメータデータを含むメッセージ３３０ａを送信機に送り返す。説明の例では、この信号パラメータデータを含むメッセージの自律的な送信は周期的に遂行され、この期間は、ここではバースト持続期間３１０より短くされる。
【００２２】
移動機（ＭＳ）１０６から送信されるメッセージに応答して、送信機は、出力電力のレベルを、許容可能なサービスの品質がほぼ最適な資源の消費にて維持されるレベルに調節する。図３の例では、送信機は、返されたメッセージ３３０ａに応答して、出力電力を、出力電力レベル３２０ｂに下げる。バーストの伝送が、この低減された出力電力レベルにて継続される。移動機（ＭＳ）１０６は、自律的なシステムパラメータの測定およびメッセージ３３０ｂを生成を継続する。説明の例では、送信機は、メッセージ３３０ｂから受信信号強度がまだ高すぎることを知り、出力電力を出力電力レベル３２０ｃに下げる。
【００２３】
送信機と、受信機、すなわち移動機（ＭＳ）１０６は、この対話メッセージの交換を継続し、こうして、送信機は、自律的に送信されたメッセージ３３０ｂ、３３０ｃ、３３０ｄに応答して、出力電力を、それぞれ、出力電力レベル３２０ｃ、３２０、３２０ｅに下げる。ただし、出力電力の一連の低減の結果として、出力電力のレベルが、許容可能なサービスを保障するためには低すぎるレベルに落ちることがある。
【００２４】
この場合、送信機は、図３に示すように、出力電力レベル３２０ｅにて送信した後、戻されたメッセージ３３０ｅに応答して、出力電力を、出力電力レベル３２０ｆに増加する。より具体的には、送信機は、出力電力レベル３３０ｅにて送信を継続するとサービスの品質が許容できないレベルに落ちる危険があるために、出力電力を追加する必要があることを決定する。この例では、送信出力電力レベル３２０ｆは、最後にサービスの品質が許容可能であったレベル、つまり、出力電力レベル３３０ｄに上げられる。ただし、別の方法として、電力出力レベルは、前の出力電力レベルの関数として上げることもできる。例えば、出力電力レベル３２０ｆは、出力電力レベル３２０ｄと３２０ｅの間に、例えば、出力電力レベル３２０ｄと３２０ｅの平均に設定することもできる。さらに別の方法として、レベル３２０ｆは、他の重み関数として、例えば、レベル３２０ｄ７５％およびレベル３２０ｅ２５％として決定することもできる。上述の次の出力電力レベルの設定は、増加、低減に関係なく、単に、一例として示したものであり、本発明の範囲を制限するものではない。
【００２５】
送信機と移動機（ＭＳ）１０６との間の対話的交換は、バーストの持続期間に渡って継続される。つまり、出力電力レベル３２０は、受信信号強度３３０が送信機によって高すぎる、つまり、システム資源の浪費であると決定される度に、低減され、受信信号強度３３０が低すぎる、つまり、サービスの許容可能なレベルが満たされないと決定される度に上げられる。バーストが終了した時点で、メッセージの交換も終わる。
【００２６】
本発明の一つの実施例においては、前のバースト伝送の最後の出力電力レベル、この例では、３２０ｈが保持され、次のバースト伝送に対する参照（基準）として用いられる。図３に示すように、第二のバースト３５０を処理するための出力電力レベル３２０ｉは、公称出力電力レベル３２０ａより低く設定される。初期の出力電力レベル３２０ｉをどの程度低くするかは、最後の出力電力レベル３２０ｈの関数として決定される。
【００２７】
第二のバースト３５０においては、移動機（ＭＳ）１０６は、システムパラメータデータ、例えば、受信信号強度を含むメッセージ３３０ｉ、３３０ｊ、３３０ｋ、および３３０ｌを生成し、これに応答して、送信機は、出力電力を、それぞれ、３２０ｊ、３２０ｋ、３２０ｌ、および３２０ｍに調節する。この例では、出力電力レベルの増減の量を決定するための重み関数は、様々な要因、例えば、初期出力電力および戻される信号強度値を考慮して決定される。
【００２８】
遠隔サイトとして動作する場合、基地局コントローラ（ＢＳＣ）１０２は、（移動機および基地局トランシーバからの）システムパラメータを、移動体交換センタ（ＭＳＣ）１００のコントローラに報告する。これらシステムパラメータには、移動機（ＭＳ）１０６および／あるいは基地局トランシーバ（ＢＴＳ）１０４の所で測定される信号強度に加えて、基地局コントローラ（ＢＳＣ）１０２の制御下の各移動機（ＭＳ）１０６および基地局トランシーバ（ＢＴＳ）１０４に対する順方向リンク上の電力消費履歴および逆方向リンク上の信号対干渉比（ＳＩＲ）が含まれる。基地局トランシーバ（ＢＴＳ）１０４は、各移動機（ＭＳ）１０６に対して測定されたシステムデータを直ちに基地局コントローラ（ＢＳＣ）１０２に報告することも、あるいは、セル内の全てのアクティブな移動機（ＭＳ）１０６に対して測定されたパラメータデータを累積し、一度に、単一のパケットとして報告することもできる。別の方法として、全てのアクティブな移動機（ＭＳ）１０６に対して測定されたパラメータデータのパッケージは定期的に報告することもできる。
【００２９】
移動体交換センタ（ＭＳＣ）１００は、こうして、網内で進行中のアクティブなデータセッションおよび各基地局の動作パラメータに関する情報を収集し、これら情報に基づいて、例えば、網内で移動機（ＭＳ）１０６の位置が変わったり、新たな移動機（ＭＳ）が網へのアクセスを求めたりして網の構成が変化したとき、基地局の動作を効率的に割当てたり、基地局資源の使用に基づいて、基地局動作条件を指定したりする。
本発明の方法によると、移動機（ＭＳ）１０６および基地局コントローラ（ＢＳＣ）１０２は、さらに、所定の時間期間に渡ってデータが検出されなかった場合、アクティブなデータセッションを解除するためのタイムアウトカウンタを維持する。タイムアウトカウンタは、移動機（ＭＳ）１０６内で、移動機（ＭＳ）１０６と基地局コントローラ（ＢＳＣ）１０２との間に通信リンクが確立された後に開始され、移動機（ＭＳ）１０６の所で基地局コントローラ（ＢＳＣ）１０２から新たなデータバーストが受信される度にタイムアウトカウンタがリセットされる。最後のデータバーストが受信されてから所定の時間期間以内にデータバーストが受信されない場合は、移動機（ＭＳ）１０６は、データセッションが解除されるべきである（終話したもの）とみなし、アクティブなデータセッションを解除するために、自身の内部解除機能を先導する。こうして、基地局コントローラ（ＢＳＣ）１０２は、移動機（ＭＳ）１０６に対してデータセッションの終了を先導することを必要とされず、このため、データセッションを終話するために必要とされる処理のオーバヘッドが低減される。
【００３０】
移動機（ＭＳ）１０６によってタイムアウトカウンタが維持されるのと同様なやり方で、基地局コントローラ（ＢＳＣ）１０２も、システムパラメータの自律的な報告をモニタするためにタイムアウトカウンタを維持し、自律的に生成されたシステムデータメッセージを受信すると、  基地局コントローラ（ＢＳＣ）１０２は、タイムアウトカウンタをリセットする。所定の時間期間以内に自律的に生成されたシステムメッセージを受信することに失敗した場合は、基地局コントローラ（ＢＳＣ）１０２は、データセッションが終話したものとみなし、アクティブなデータセッションを終話させるために、自身の呼解除機能を先導する。
【００３１】
結論
本発明は、遠隔サイトからローカルコントローラに情報を、資源を集中的に消費するデータ伝送を設定するために必要とされる時間が短縮されるようなやり方で供給するための新規な方法を提供する。本発明の一つの好ましい実施例においては、移動機の所で受信される信号強度が関連する基地局に自立的に供給される。基地局は、この情報を、次のデータ伝送に対する送信パラメータを調節、あるいはある送信期間内で送信パラメータを調節するために用いる。この方法によると、移動機からこの情報をリクエストするためのチャネル資源の負担が解消される。さらに、本発明によると、システム動作に関する情報は、網全体に分散される。このシステム情報は、新たなユーザが網へのアクセスをリクエストしたとき、あるいは、移動機が網を横断し、複数の基地局がその移動機を処理する能力を持つとき、基地局を指定するために用いられる。本発明によると、基地局と移動機との間に通信リンクを設定、あるいはこれを切断するために必要とされるオーバヘッドが軽減され、このため、チャネルの利用効率が改善する。
【００３２】
当業者においては理解できるように、本発明は、ここでは具体的には説明されなかった他の多くの無線システムの構成にも同様に適用できる。上では本発明が幾つかの実施例を用いて説明されたが、本発明は説明の特定の実施例に制限されるものではない。より具体的には、本発明は、より広範に、電話、電話会議、音声メール、音楽番組、ビデオ電話、ビデオ会議、遠隔端末、ユーザプロフィルの編集、テレファックス、音声帯域データ、データベースアクセス、メッセージブロードキャスト、無制限デジタル情報、ナビゲーション、位置情報、インターネットアクセスサービスなどの多様なデータサービスを異なる動作シナリオにて提供する第三世代の移動体あるいはパーソナル通信システムに同様に用いることができるものである。本発明による信号強度測定値を自律的に生成する方法は、さらに、第二世代のシステム、あるいは、高速のデータ伝送能力を持つあらゆるシステムにおいて用いることができるものである。
【００３３】
当業者においては上述の説明から本発明の様々な修正および代替実施例が明らかであると思われる。従って、上の説明は、単に、解説、つまり、当業者に本発明を実施する最良の形態を教示することを目的とし、本発明の可能な全ての形態を列挙することを意図するものではない。さらに、用いた用語は、限定ではなく、単に解説のためのものであり、構造の細部は本発明の精神から逸脱することなく、かなりの修正が可能であり、これら全ての修正が特許請求の範囲内に入り、その排他的使用が留保されるものである。
【図面の簡単な説明】
【図１】本発明の方法が採用される無線通信システムの典型的な網構成を示す図である。
【図２】本発明の方法が採用される無線システムの順方向チャネルのフォーマットを示す図である。
【図３】本発明の方法によるバースト伝送の際のバースト送信出力電力の調節を示す図である。
【符号の説明】
１００  移動体交換センタ（ＭＳＣ）
１０２  基地局コントローラ（ＢＳＣ）
１０４  基地局トランシーバ（ＢＴＳ）
１０６  移動機（ＭＳ）
１０８  セル
１１０  公衆網（ＰＳＴＮ）
１２０  移動体交換センタ（ＭＳＣ）
【図１】
0004205838.tif 000002
【図２】
0004205838.tif 000003
【図３】
0004205838.tif 000004